(57)【要約】【課題】燃料電池の発電に伴う熱とは異なる観点から、燃料電池システムにおける熱エネルギーの有効活用を図る。【解決手段】水素と酸素の電気化学反応により発電する燃料電池と、該燃料電池に供給する水素を貯蔵する水素貯蔵タンクと、ガスの調圧機構を含み、水素貯蔵タンクが貯蔵する水素を、調圧機構で調圧済みの水素ガスとして燃料電池に供給するガス供給系と、調圧機構と接続され、調圧機構でのガス調圧に伴う熱を調圧機構との間で熱交換する熱交換機器とを備える。【選択図】図１
2020123510.tif 000002
【特許請求の範囲】
【請求項１】
燃料電池システムであって、
水素と酸素の電気化学反応により発電する燃料電池と、
該燃料電池に供給する前記水素を貯蔵する水素貯蔵タンクと、
ガスの調圧機構を含み、前記水素貯蔵タンクが貯蔵する水素を、前記調圧機構で調圧済みの水素ガスとして前記燃料電池に供給するガス供給系と、
前記調圧機構と接続され、前記調圧機構でのガス調圧に伴う熱を前記調圧機構との間で熱交換する熱交換機器とを備える、
燃料電池システム。
【発明の詳細な説明】
【技術分野】
【０００１】
本発明は、燃料電池システムに関する。
【背景技術】
【０００２】
燃料電池の普及が進み、燃料電池の発電運転に伴って発生する熱エネルギーを有効利用する手法が提案されている（例えば、特許文献１）。
【先行技術文献】
【特許文献】
【０００３】
【特許文献１】特開２００１−１３５３２１号公報
【発明の概要】
【発明が解決しようとする課題】
【０００４】
特許文献１で提案された手法による熱利用は、燃料電池の発電に伴う熱エネルギーの利用に限られるため、燃料電池システムにおいて他の観点からの熱エネルギーの有効活用の余地がある。
【課題を解決するための手段】
【０００５】
本発明は、以下の形態として実現することが可能である。
【０００６】
（１）本発明の一形態によれば、燃料電池システムが提供される。この燃料電池システムは、水素と酸素の電気化学反応により発電する燃料電池と、該燃料電池に供給する前記水素を貯蔵する水素貯蔵タンクと、ガスの調圧機構を含み、前記水素貯蔵タンクが貯蔵する水素を、前記調圧機構で調圧済みの水素ガスとして前記燃料電池に供給するガス供給系と、前記調圧機構と接続され、前記調圧機構でのガス調圧に伴う熱を前記調圧機構との間で熱交換する熱交換機器とを備える。この形態の燃料電池システムによれば、調圧機構でのガス調圧に伴う熱エネルギーを、燃料電池システム配設施設における空調等に有効活用できる。
【０００７】
なお、本発明は、種々の態様で実現することが可能である。例えば、燃料電池システムの運転制御方法等の形態で実現することができる。
【図面の簡単な説明】
【０００８】
【図１】本発明の第１実施形態に係る燃料電池システムの概略構成を示す説明図である。
【図２】第２実施形態に係る燃料電池システムの概略構成を示す説明図である。
【図３】第３実施形態に係る燃料電池システムの概略構成を示す説明図である。
【発明を実施するための形態】
【０００９】
図１は、本発明の第１実施形態に係る燃料電池システム１００の概略構成を示す説明図である。燃料電池システム１００は、各種施設、例えば、スーパーやコンビニ、小売店、百貨店等の店舗施設の他、市役所や学校、体育館、図書館、ホール等の公共施設・私設施設に設置され、これら各種の施設Ｓにおける冷気機器の冷気運転や暖気機器の暖気運転の際に、燃料電池システム１００の熱エネルギーを活用する。なお、冷気機器には、冷暖房空調用のクーラーや、食料品冷蔵に用いる各種冷蔵庫などが含まれ、暖気機器には、冷暖房空調用のクーラーや、ホットコーヒー・ホットティーといった暖かい飲料を提供する給湯器や保温庫などが含まれる。
【００１０】
燃料電池システム１００は、燃料電池１０と、水素貯蔵タンク２０と、ガス供給系３０と、空気供給機器５０と、熱交換機器６０とを備える。燃料電池１０は、水素ガスと空気の供給を受け、水素ガス中の水素と空気中の酸素の電気化学反応を起こして発電する。燃料電池１０の発電電力は、図示しない２次電池に蓄電されたり、施設Ｓにおける後述のクーラー２００や冷蔵庫３００の他、図示しない電灯、自動ドア等の各種電気機器の駆動電力として用いられる。
【００１１】
水素貯蔵タンク２０は、ステンレス鋼等の金属製タンクであり、既述した各種施設の施設外、或いは施設内の外壁近傍のタンク収容室に設置され、燃料電池１０に供給する水素を、高圧の水素ガスとして貯蔵する。本実施形態の燃料電池システム１００は、水素貯蔵タンク２０を、水素ガスを７０ＭＰａ程度で２３〜４７ｋＬ程度、貯蔵できるよう直径が約２ｍの円筒状タンクとして備える。そして、水素貯蔵タンク２０は、長手方向が鉛直方向となるようにタンク収容室に設置されている。この水素貯蔵タンク２０は、鉛直方向の上部に、管路開閉バルブ内蔵のタンク金具２１を備え、このタンク金具２１を介して、後述のガス供給系３０に含まれる調圧機構４０と第１ガス供給管路３１により接続されている。なお、タンク金具２１内蔵の管路開閉バルブは、図示しない制御装置の制御を受けて、調圧機構４０へのガス導出の際に第１ガス供給管路３１を開放し、タンク交換の際に第１ガス供給管路３１を閉鎖する。
【００１２】
ガス供給系３０は、第１ガス供給管路３１と、第２ガス供給管路３２と、調圧機構４０とを備える。第１ガス供給管路３１は、既述したように水素貯蔵タンク２０と調圧機構４０とを接続するガス供給管である。第２ガス供給管路３２は、調圧機構４０と燃料電池１０とを接続するガス供給管であり、調圧機構４０で調圧済みの水素ガスを燃料電池１０に供給する。第２ガス供給管路３２には、図示しない流量調整バルブが組み込まれており、当該バルブにより、燃料電池１０への水素ガス供給量が調整される。
【００１３】
調圧機構４０は、水素貯蔵タンク２０に貯蔵された高圧（７０ＭＰａ）の水素ガスを、燃料電池１０の適正供給圧(例えば１０〜２０ＭＰａ)に調圧(減圧)する。そして、ガス供給系３０は、調圧機構４０で減圧済みの水素ガスを、第２ガス供給管路３２を介して燃料電池１０に供給する。
【００１４】
空気供給機器５０は、図示しないコンプレッサで圧縮した空気を、空気供給管路５１を経て燃料電池１０に供給する。空気供給管路５１には、図示しない流量調整バルブが組み込まれており、当該バルブにより、燃料電池１０への空気供給量が調整される。
【００１５】
熱交換機器６０は、第１媒体循環管路６１と、第２媒体循環管路６２とを備える。第１媒体循環管路６１は、第１熱交換管路部６１ａと第２熱交換管路部６１ｂを備え、第２媒体循環管路６２は、第１熱交換管路部６２ａと第２熱交換管路部６２ｂを備える。両循環管路における第１、第２熱交換管路部は、それぞれの循環管路において離間している。熱交換機器６０は、第１媒体循環管路６１の第１熱交換管路部６１ａが調圧機構４０に組み込まれることで、調圧機構４０と接続されている。第１熱交換管路部６１ａは、調圧機構４０が減圧を行う減圧機構部に配設され、調圧機構４０でのガス調圧に伴う熱交換に関与する。本実施形態において、調圧機構４０でのガス調圧は減圧であることから、第１媒体循環管路６１を還流する媒体は第１熱交換管路部６１ａにおいて、調圧機構４０の減圧機構部により冷却される。これにより、第１熱交換管路部６１ａにおいて、調圧機構４０との間での熱交換が起きることになる。熱交換機器６０は、第１熱交換管路部６１ａで冷却済み媒体を、第１媒体循環管路６１に組み込んだ媒体ポンプ６３により、第１媒体循環管路６１において循環還流させる。熱交換機器６０は、第１媒体循環管路６１の第２熱交換管路部６１ｂが第２媒体循環管路６２における第１熱交換管路部６２ａに近接配置されることにより、第１媒体循環管路６１と第２媒体循環管路６２との間でも熱交換も行う。これにより、第２媒体循環管路６２の媒体は、第１熱交換管路部６２ａにおいて冷却される。熱交換機器６０は、第１熱交換管路部６２ａで冷却済み媒体を、第２媒体循環管路６２に組み込んだ媒体ポンプ６４により、第２媒体循環管路６２において循環還流させる。
【００１６】
熱交換機器６０は、施設Ｓの冷暖房空調用のクーラー２００に至る第２媒体循環管路６２を備えるほか、第２媒体循環管路６２から分岐して施設Ｓの食料品用の冷蔵庫３００に至る分岐媒体循環管路６５を備える。そして、第２熱交換管路部６２ｂは、クーラー２００が有する空調機構部２１０の媒体滞留管路部２１２において、クーラー２００の媒体と熱交換するよう、空調機構部２１０に組み込まれている。また、分岐媒体循環管路６５の熱交換管路部６２ｃは、冷蔵庫３００が有する空調機構部３１０の媒体滞留管路部３１２において、冷蔵庫３００の媒体と熱交換するよう、空調機構部３１０に組み込まれている。
【００１７】
クーラー２００は、媒体滞留管路部２１２を一部管路として有する媒体循環管路２１４で、夏期等の冷房要請時期において媒体を循環させつつ、循環する媒体を、図示しない熱交換機構部で冷却する。空調機構部２１０の空気が媒体循環管路２１４を循環する冷却済み媒体で冷却されることにより、冷却済み空気が送風口２１６から吹き出される。この冷却済み空気の吹き出しにより、施設Ｓの冷却空調が実行される。また、クーラー２００は、媒体循環管路２１４で、冬期等の暖房要請時期において媒体を循環させつつ、循環する媒体を、熱交換機構部で媒体を暖気する。空調機構部２１０の空気は、媒体循環管路２１４を循環する暖気済み媒体で暖気され、暖気済み空気が送風口２１６から吹き出されて、施設Ｓの暖房空調が実行される。
【００１８】
熱交換機器６０は、第２媒体循環管路６２に管路開閉バブル６２ｖを備え、この管路開閉バブル６２ｖは、暖気要請時期には管路を閉鎖するよう駆動される。よって、既述したように第１媒体循環管路６１と第２媒体循環管路６２との間の熱交換により冷却された第２媒体循環管路６２の冷却済み媒体は、暖気要請時期において、クーラー２００に流れ込まず、分岐媒体循環管路６５を循環還流する。その一方、冷房要請時期では、管路開閉バブル６２ｖは管路を開放するよう駆動されるので、第２媒体循環管路６２の冷却済み媒体は、クーラー２００に流れ込み、媒体滞留管路部２１２において、媒体循環管路２１４を循環する媒体を、クーラー自体による媒体冷却とは別に、冷却する。
【００１９】
冷蔵庫３００は、媒体滞留管路部３１２を一部管路として有する媒体循環管路３１４で、通年において冷却済み媒体を循環させつつ、循環する媒体を、図示しない熱交換機構部で冷却する。空調機構部３１０の空気は、媒体循環管路３１４を循環する冷却済み媒体で冷却され、冷却済み空気が送風口３１６から吹き出されて、食料品の冷却が実行される。よって、既述したように第１媒体循環管路６１と第２媒体循環管路６２との間の熱交換により冷却された第２媒体循環管路６２の冷却済み媒体は、通年において、分岐媒体循環管路６５を経て冷蔵庫３００に流れ込み、媒体滞留管路部３１２において、媒体循環管路３１４を循環する媒体を、冷蔵庫自体による媒体冷却とは別に、冷却する。
【００２０】
以上説明したように、本実施形態の燃料電池システム１００では、燃料電池１０への水素ガスの供給に当たり、ガス供給に適したガス圧への調圧(減圧)が調圧機構４０で行われる。そして、減圧を行う調圧機構４０との間で熱交換を行う熱交換機器６０により、本実施形態の燃料電池システム１００では、第１媒体循環管路６１および第２媒体循環管路６２の媒体を冷却し、この冷却済み媒体を、クーラー２００と冷蔵庫３００とにおける冷媒冷却に、クーラー自体による媒体冷却、および冷蔵庫自体による冷媒冷却とは別に、利用する。この結果、本実施形態の燃料電池システム１００によれば、調圧機構４０での減圧に伴う熱エネルギーを、施設Ｓにおける冷房空調や食料品冷却に有効活用できる。
【００２１】
本実施形態の燃料電池システム１００は、暖房要請時期において、クーラー２００に冷却済み媒体を送り込まないので、クーラー２００による暖房空調を阻害しない。
【００２２】
本実施形態の燃料電池システム１００は、熱交換機器６０を、第１媒体循環管路６１と第２媒体循環管路６２を熱交換可能に有するものとし、第２媒体循環管路６２の第２熱交換管路部６２ｂを、クーラー２００等の冷気機器に組み込んだ。第２媒体循環管路６２は、第１媒体循環管路６１と個別に管路を組めるので、第２熱交換管路部６２ｂの配設位置の汎用性が高まり、施設Ｓにおける多種多様な位置の冷気機器への管路設置が容易となる。なお、第２媒体循環管路６２を省略し、第１媒体循環管路６１の第２熱交換管路部６１ｂをクーラー２００等の冷気機器に組み込むようにしてもよい。
【００２３】
図２は、第２実施形態に係る燃料電池システム１００Ａの概略構成を示す説明図である。第２実施形態の燃料電池システム１００Ａは、水素貯蔵タンク２０に液体水素を貯蔵する点と、調圧機構４０にてガス圧を加圧する点で、既述した第１実施形態の燃料電池システム１００と相違する。以下の説明に際しては、同一の部材については、第１実施形態と同一の符合を用いる。
【００２４】
水素貯蔵タンク２０は、図示しない液体水素配送車等により液体水素の充填を受け、液体水素を貯蔵する。タンク金具２１には、レセプタクル(図視略)が組み込まれており、液体水素配送車からは、レセプタクルを介して液体水素が充填される。
【００２５】
水素貯蔵タンク２０では、タンク内で気化した水素ガスがタンク上部に貯まり、この気化済み水素ガスは、第１ガス供給管路３１を経て調圧機構４０に流れ込む。タンク内の気化済み水素ガスのガス圧は、燃料電池１０への供給圧より低圧である。よって、本実施形態の調圧機構４０は、燃料電池１０の適正供給圧(１０〜２０ＭＰａ)に調圧(加圧)して、加圧済み水素ガスを、第１ガス供給管路３１を経て水素ガス貯蔵タンク４５に送り出す。水素ガス貯蔵タンク４５は、第２ガス供給管路３２を介して燃料電池１０と接続されており、貯蔵した水素ガスを上記した適正供給圧で燃料電池１０に供給する。
【００２６】
第１ガス供給管路３１は、図示するように水素貯蔵タンク２０のタンク金具２１に対して、鉛直方向上方側から接続されている。そして、水素貯蔵タンク２０内で気化した水素ガスは、図示するように水素貯蔵タンク２０の鉛直方向上方側のタンク内上部領域に貯留される。よって、水素貯蔵タンク２０内で気化した水素ガスは、タンク内上部領域から円滑に第１ガス供給管路３１に流れ込む。第１ガス供給管路３１に流れ込んだ気化済み水素ガスは、調圧機構４０に達して、既述したように調圧機構４０により加圧される。
【００２７】
第２実施形態の燃料電池システム１００Ａは、既述したように、熱交換機器６０における第１媒体循環管路６１の第１熱交換管路部６１ａを調圧機構４０に組み込んで調圧機構４０と接続させている。第１熱交換管路部６１ａは、調圧機構４０が加圧を行う減圧機構部に配設され、調圧機構４０でのガス調圧、本実施形態では加圧に伴う熱交換に関与する。調圧機構４０でのガス調圧は加圧であることから、第１媒体循環管路６１を還流する媒体は第１熱交換管路部６１ａにおいて加熱される。これにより、第１熱交換管路部６１ａにおいて、調圧機構４０との間での熱交換が起きることになる。熱交換機器６０は、第１熱交換管路部６１ａで冷却済み媒体を、媒体ポンプ６３により、第１媒体循環管路６１において循環還流させる。熱交換機器６０は、第１媒体循環管路６１の第２熱交換管路部６１ｂを、第２媒体循環管路６２における第１熱交換管路部６２ａに近接配置して、第１媒体循環管路６１と第２媒体循環管路６２との間でも熱交換も行い、第２媒体循環管路６２の媒体は、第１熱交換管路部６２ａにおいて加熱される。熱交換機器６０は、第１熱交換管路部６２ａで加熱済み媒体を、媒体ポンプ６４により、第２媒体循環管路６２において循環還流させる。
【００２８】
熱交換機器６０は、第２媒体循環管路６２を、施設Ｓの給湯器４００まで延ばして備える。第２媒体循環管路６２の第２熱交換管路部６１ｂは、給湯器４００が有する給湯ポット４０２において、ポット内の飲料用水と熱交換するよう、給湯ポット４０２に組み込まれている。なお、第１実施形態と同様、第２媒体循環管路６２から分岐した分岐媒体循環管路６５を、施設Ｓのクーラー２００まで延ばして、暖房要請時期において、クーラー２００に加熱済み媒体を送り出すようにしてもよい。
【００２９】
給湯器４００は、給湯ポット４０２に貯留した飲料用水を、温かいお茶やホットコーヒーに用いるよう、図示しない加熱コイル等で加熱する。よって、既述したように第１媒体循環管路６１と第２媒体循環管路６２との間の熱交換により加熱された第２媒体循環管路６２の加熱済み媒体は、常時、給湯ポット４０２に配設された第２熱交換管路部６２ｂにおいて、ポット内の飲料用水を、給湯器自体による加熱とは別に、加熱する。
【００３０】
以上説明した第２実施形態の燃料電池システム１００Ａでは、燃料電池１０への水素ガスの供給に当たり、ガス供給に適したガス圧への調圧(加圧)を調圧機構４０で行う。そして、加圧を行う調圧機構４０との間で熱交換を行う熱交換機器６０により、第２実施形態の燃料電池システム１００Ａでは、第１媒体循環管路６１および第２媒体循環管路６２の媒体を加熱し、この加熱済み媒体を、給湯器４００における飲料用水加熱に、給湯器自体による飲料用水加熱とは別に、利用する。この結果、第２実施形態の燃料電池システム１００Ａによっても、調圧機構４０での加圧に伴って発生する熱の熱エネルギーを、施設Ｓにおける飲料用水加熱に有効活用できる。
【００３１】
図３は、第３実施形態に係る燃料電池システム１００Ｂの概略構成を示す説明図である。第３実施形態の燃料電池システム１００Ｂは、水の電気分解をして水素を生成する水素生成機５００と、生成された水素を圧縮水素ガスとするガス圧縮機構６００とを有する点で、既述した第１実施形態の燃料電池システム１００と相違する。
【００３２】
燃料電池システム１００Ｂの水素貯蔵タンク２０は、燃料電池システム１００と同様、燃料電池１０に供給する水素を、高圧の水素ガスとして貯蔵する。この水素貯蔵タンク２０への水素ガス貯蔵に当たっては、まず、水素生成機５００にて水素が生成される。生成された水素は、水素供給管６０１を経てガス圧縮機構６００に送り込まれ、ガス圧縮機構６００により高圧の水素ガスとされ、この高圧水素ガスが水素供給管６０１を経て充填される。なお、水素供給管６０１の開閉バルブ６０２は、ガス圧縮機構６００からの水素ガス充填の際に管路開放駆動され、水素生成機５００での水素生成中やガス圧縮機構６００でのガス圧縮中といったガス非充填時、および水素生成機５００とガス圧縮機構６００の非稼働時には、管路閉鎖駆動される。
【００３３】
第３実施形態の燃料電池システム１００Ｂでは、水素生成機５００における水素生成に伴う熱エネルギーの利用を図るため、既述した熱交換機器６０が水素生成機５００に接続されている。より具体的には、既述した第１実施形態における調圧機構４０と熱交換機器６０との接続と同様、第１媒体循環管路６１の第１熱交換管路部６１ａは、水素生成機５００に組み込まれて、水素生成機５００の水素生成機構部に配設される。これにより、熱交換機器６０は、水素生成機５００での水素生成に伴う熱交換に関与する。水素生成機５００での水素生成は、水を水素と酸素とに分解する吸熱分解反応を伴うことから、第１媒体循環管路６１を還流する媒体は第１熱交換管路部６１ａにおいて、水素生成機５００の水素生成機構部により冷却される。これにより、第１熱交換管路部６１ａにおいて、水素生成機５００との間での熱交換が起き、熱交換機器６０は、第１熱交換管路部６１ａおよび第２媒体循環管路６２で冷却済み媒体を、既述したように、クーラー２００や冷蔵庫３００の冷気機器自体の媒体冷却とは別に、媒体冷却に活用する。
【００３４】
また、第３実施形態の燃料電池システム１００Ｂでは、ガス圧縮機構６００におけるガス圧縮に伴う熱エネルギーの利用を図るため、既述した熱交換機器６０がガス圧縮機構６００に接続されている。より具体的には、既述した第１実施形態における調圧機構４０と熱交換機器６０との接続と同様、第１媒体循環管路６１の第１熱交換管路部６１ａは、ガス圧縮機構６００に組み込まれて、ガス圧縮機構部に配設される。これにより、熱交換機器６０は、ガス圧縮機構６００でのガス圧縮に伴う熱交換に関与する。ガス圧縮機構６００での調圧はガス圧縮であることから、第１媒体循環管路６１を還流する媒体は第１熱交換管路部６１ａにおいて、ガス圧縮機構６００のガス圧縮機構部により加熱される。これにより、第１熱交換管路部６１ａにおいて、ガス圧縮機構６００との間での熱交換が起き、熱交換機器６０は、第１熱交換管路部６１ａおよび第２媒体循環管路６２で加熱済み媒体を、既述したように、給湯器４００といった暖気機器の飲料用水加熱や、給湯器以外の暖気機器の媒体加熱に、暖気機器自体の加熱とは別に、活用する。
【００３５】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００３６】
第２実施形態の燃料電池システム１００Ａでは、水素貯蔵タンク２０に液体水素を貯蔵し、タンク内で気化してタンク上部に貯まった気化済み水素ガスを調圧機構４０に流れ込ませている。タンク内での水素気化は、断熱下で起きることから、タンク上部では、気化に伴いタンク周壁やその周辺からの吸熱が可能な状況となる。よって、液体水素を貯蔵する水素貯蔵タンク２０のタンク上部のタンク壁を取り囲むよう、熱交換機器６０の第１熱交換管路部６１ａを水素貯蔵タンク２０に取り付け、熱交換機器６０と水素貯蔵タンク２０とを熱交換ができるようにする。こうすれば、タンク内での水素気化に伴って熱交換により、第１媒体循環管路６１の循環媒体を冷却し、その冷却済みの媒体を、水素貯蔵タンク２０や冷蔵庫３００といった各種冷気機器自体の媒体冷却とは別に、媒体冷却に活用できる。
【符号の説明】
【００３７】
１０…燃料電池、２０…水素貯蔵タンク、２１…タンク金具、３０…ガス供給系、３１…第１ガス供給管路、３２…第２ガス供給管路、４０…調圧機構、４５…水素ガス貯蔵タンク、５０…空気供給機器、５１…空気供給管路、６０…熱交換機器、６１…第１媒体循環管路、６１ａ…第１熱交換管路部、６１ｂ…第２熱交換管路部、６２…第２媒体循環管路、６２ａ…第１熱交換管路部、６２ｂ…第２熱交換管路部、６２ｃ…熱交換管路部、６２ｖ…管路開閉バブル、６３…媒体ポンプ、６４…媒体ポンプ、６５…分岐媒体循環管路、１００，１００Ａ，１００Ｂ…燃料電池システム、２００…クーラー、２１０…空調機構部、２１２…媒体滞留管路部、２１４…媒体循環管路、２１６…送風口、３００…冷蔵庫、３１０…空調機構部、３１２…媒体滞留管路部、３１４…媒体循環管路、３１６…送風口、４００…給湯器、４０２…給湯ポット、５００…水素生成機、６００…ガス圧縮機構、６０１…水素供給管、６０２…開閉バルブ、Ｓ…施設
【図１】
2020123510.tif 000003
【図２】
2020123510.tif 000004
【図３】
2020123510.tif 000005